(57)【要約】【課題】  既設のエレベーター装置のドア部に強制開離構造の戸開閉検知スイッチを容易に取り付けることができる戸開閉検知スイッチの取り付け方法及び、その戸開閉検知スイッチが取り付けられたエレベーター装置を提供する。【解決手段】  ドアハンガー及びドアハンガーが摺動移動する移動ローラが収容されたポケット部と、ポケット部に取り付けられるカバー部とを有するドアユニットと、ドア部とを備えるエレベーター装置において、カバー部取り付けブラケットに予め設けられているボルト穴を用いて、ドア部の開閉方向に延在するスイッチ取り付けバーを取り付け、そのスイッチ取り付けバーに戸開閉検知スイッチを取り付ける。【選択図】図１
2018100153.tif 000002
【特許請求の範囲】
【請求項１】
ドア部と、
前記ドア部の上部に配置され、前記ドア部を支持するドアハンガー、及び、前記ドアハンガーを左右に摺動させる移動レールを収納するポケット部と、
前記ポケット部に収納されたドアハンガー及び移動レールの一部を覆うカバー部と、
前記カバー部をポケット部に取り付ける為のボルト穴を有し、前記ポケット部に固定されたカバー部取り付けブラケットと、
前記カバー部取り付けブラケットに設けられたボルト穴を用いて固定されたスイッチ取り付けバーと、
前記スイッチ取り付けバーに取り付けられ、前記ドア部の開閉状態を検知する戸開閉検知スイッチと
を備えるエレベーター装置。
【請求項２】
前記スイッチ取り付けバーには、前記カバー部の取り付けに用いられるカバー部用ボルト穴が設けられており、前記カバー部は、前記カバー部用ボルト穴を用いて前記ポケット部に取り付けられている
請求項１に記載のエレベーター装置。
【請求項３】
前記ドアハンガーには、前記戸開閉検知スイッチとの接触又は非接触によって前記戸開閉検知スイッチをオン又はオフするカムが固定されおり、
前記カムは、前記ドア部の開閉動作によって前記戸開閉検知スイッチを動作させる
請求項２に記載のエレベーター装置。
【請求項４】
さらに、前記戸開閉検知スイッチに電力を供給するスイッチ配線部を備え、前記スイッチ配線部は、前記スイッチ取り付けバーに這わせて前記ポケット部に設けられた配線孔から引き出され、前記ポケット部外部の電源部に接続されている
請求項３に記載のエレベーター装置。
【請求項５】
ドア部と、前記ドア部の上部に配置され、前記ドア部を支持するドアハンガー、及び、前記ドアハンガーを左右に摺動させる移動レールを収納するポケット部と、前記ポケット部に収納されたドアハンガー及び移動レールの一部を覆うカバー部と、前記カバー部をポケット部に取り付ける為のボルト穴を有し、前記ポケット部に固定されたカバー部取り付けブラケットとを備えるエレベーター装置における戸開閉検知スイッチの取り付け方法であって、
前記カバー部取り付けブラケットに予め設けられているボルト穴を用いて、前記ドア部の開閉方向に延在するスイッチ取り付けバーを取り付ける工程と、
前記スイッチ取り付けバーに戸開閉検知スイッチを取り付ける工程と
有する戸開閉検知スイッチの取り付け方法。
【請求項６】
前記戸開閉検知スイッチを取り付けた後、前記カバー部を、前記スイッチ取り付けバーに設けられたカバー部用ボルト穴を用いて前記ポケット部に取り付ける工程を有する
請求項５に記載の戸開閉検知スイッチの取り付け方法。
【請求項７】
前記カバー部を取り付ける工程の前において、前記戸開閉検知スイッチとの接触又は非接触によって前記戸開閉検知スイッチをオン又はオフするカムを前記ドアハンガーに取り付ける工程を有する
請求項６に記載の戸開閉検知スイッチの取り付け方法。
【請求項８】
前記戸開閉検知スイッチを取り付ける工程の後であって、前記カバー部を取り付ける工程の前において、前記戸開閉検知スイッチに電力を供給するスイッチ配線部を前記スイッチ取り付けバーに這わせて前記ポケット部から引き出す工程を有する
請求項７に記載の戸開閉検知スイッチの取り付け方法。
【発明の詳細な説明】
【技術分野】
【０００１】
本発明は、エレベーター装置のドア部に、ドア部の開閉を検知する戸開閉検知スイッチを取り付ける戸開閉検知スイッチの取り付け方法と、その戸開閉検知スイッチを備えたエレベーター装置に関する。
【背景技術】
【０００２】
近年の法改正により、エレベーターの駆動装置や制御器に故障が生じ、乗りかご及び昇降路のすべての出入口の戸が閉じる前に乗りかごが昇降したときに、自動的に乗りかごを制止する戸開走行保護装置（ＵＣＭＰ：Unintended Car Movement Protection）の設置が義務化されている。
【０００３】
特許文献１には、ＵＣＭＰ設置の義務化に当たって、かごドア及び乗り場ドアの開放状態を検知するスイッチと、戸開走行異常を判定する安全コントローラを備えるエレベーター装置が開示されている。
【先行技術文献】
【特許文献】
【０００４】
【特許文献１】国際公開ＷＯ２０１１／１５８３０１号
【発明の概要】
【発明が解決しようとする課題】
【０００５】
ところで、ＵＣＭＰは、ドアが開いている状態を正確に把握するために、ドアの開閉を検知するスイッチを強制開離構造とすることを必要条件としている。強制開離構造とは、ドアの開閉動作に連動して、スイッチの接点が確実に引き剥がされる構造である。
【０００６】
しかしながら、ＵＣＭＰの設置が義務化される前に設置されていた既設のエレベーター装置では、ドア部の開閉を検知する戸開閉検知スイッチが、強制開離構造になっていない場合も多くある。その場合、既設のエレベーター装置の戸開閉検知スイッチを強制開離構造とするため、ドア部を一式交換する必要があり、ＵＣＭＰの追加工事のコストが増大し、また工期が長期化するという問題があった。
【０００７】
そこで、本発明の目的は、既設のエレベーター装置のドア部に強制開離構造の戸開閉検知スイッチを容易に取り付けることができる戸開閉検知スイッチの取り付け方法及び、その戸開閉検知スイッチが取り付けられたエレベーター装置を提供することにある。
【課題を解決するための手段】
【０００８】
上記課題を解決し、本発明の目的を達成するため、本発明のエレベーター装置は、ドア部と、ポケット部と、カバー部取り付けブラケットと、カバー部と、スイッチ取り付けバーと、戸開閉検知スイッチとを備える。ポケット部は、ドア部の上部に配置されている。ポケット部は、ドア部を支持するドアハンガー、及び、ドアハンガーを左右に摺動させる移動レールを収納する。カバー部は、ポケット部に収納されたドアハンガー及び移動レールの一部を覆う。カバー部取り付けブラケットは、カバー部をポケット部に取り付ける為のボルト穴を有し、ポケット部に固定されている。スイッチ取り付けバーは、ドア部の開閉方向に延在し、カバー部取り付けブラケットに設けられたボルト穴を用いて固定される。戸開閉検知スイッチは、スイッチ取り付けバーに取り付けられ、ドア部の開閉状態を検知する。
【０００９】
また、本発明の戸開閉スイッチ取り付け方法は、上述のエレベーター装置において、カバー部取り付けブラケットに予め設けられているボルト穴を用いて、ドア部の開閉方向に延在するスイッチ取り付けバーを取り付ける工程と、スイッチ取り付けバーに戸開閉検知スイッチを取り付ける工程とを有する。
【発明の効果】
【００１０】
本発明によれば、既設のエレベーター装置に、強制開離構造の戸開閉検知スイッチの取り付けを低コストで、簡単に行うことができる。
【図面の簡単な説明】
【００１１】
【図１】本発明のエレベーター装置の乗り場側ドア部を乗りかご側から見た正面図である。
【図２】図１の要部を側面から見た図である。
【図３】本発明のエレベーター装置の乗り場側ドア部を乗りかご側から見た正面図であり、乗り場ドア部が開いた状態を示す図である。
【図４】一般的なエレベーター装置の乗り場側ドア部を乗りかご側から見た正面図である。
【図５】図４の要部を側面から見た図である。
【発明を実施するための形態】
【００１２】
まず、本発明の一実施形態に係るエレベーター装置の説明に先立ち、強制開離構造の戸開閉検知スイッチが取り付けられていないエレベーター装置の一般的な構造について説明する。図４は、一般的なエレベーター装置の乗り場側のドア部３ａ、３ｂを、乗りかご側（昇降路側）から見た正面図である。また、図５は、図４の要部を側面から見た図である。
【００１３】
建築構造の各階における乗りかごが停止する乗り場には、人や物が、その階に停止した乗りかごへ出入りするための出入り口（図示を省略する）が設けられており、出入り口には、一対のドア部３ａ、３ｂが設けられている。一対のドア部３ａ、３ｂは、出入り口の上下方向の上端部に設けられたドアユニット３０により、出入り口に開閉可能に取り付けられている。また、図示を省略するが、出入り口の上下方向の下端部には、一対のドア部３ａ、３ｂを支持するドアシルが設けられている。
【００１４】
ドアユニット３０は、ポケット部１と、ドアレール２と、ドアハンガー４ａ、４ｂと、カバー部５とを有している。ポケット部１は、ドアレール２及びドアハンガー４ａ、４ｂを含むドア部３ａ、３ｂの開閉動作を行うための部材を収容する部材であり、上面部１ａ及び背面部１ｂを有するＬ字状の部材で構成されている。ポケット部１の上面部１ａには、ポケット部１を建屋側の壁に固定するための取り付けブラケット１６がボルト１６ａによって固定されている。この取り付けブラケット１６により、ポケット部１は、建屋に設けられた出入り口の上下方向の上端部に建屋側の壁に固定される。
【００１５】
また、ポケット部１には、後述するカバー部５を取り付けるための複数（本実施形態では３個）のカバー部用ブラケット６が取り付けられている。カバー部用ブラケット６は、図５に示すように、例えば、ポケット部１の上面部１ａに固定される上面板６ａと、各部材が収容される空間を介してポケット部１の背面部１ｂと対向する位置に配置される前面板６ｂとからなるＬ字状の板状部材で構成されている。そして、３つのカバー部用ブラケット６は、ドア部３ａ、３ｂの開閉方向に沿った３箇所に固定され、所定の間隔を空けて配置されている。また、カバー部用ブラケット６は、その上面板６ａがポケット部１の上面部１ａに例えばボルト締結又は溶接によって固定されており、カバー部用ブラケット６の前面板６ｂには、カバー部５とのボルト締結に用いるためのボルト穴１７が設けられている。
【００１６】
ドアハンガー４ａ、４ｂは、各ドア部３ａ、３ｂの上下方向の上端部に固定されており、各ドアハンガー４ａ、４ｂには、移動ローラ１５が回転可能に取り付けられている。移動ローラ１５は、後述するドアレール２に摺動可能に係合する。図示を省略するが、各ドアハンガー４ａ、４ｂは、ドアユニット３０の上部に設けられた２つのプーリ間を移動する伝達ベルトに連結されている。これにより、伝達ベルトの移動に伴って、各ドアハンガー４ａ、４ｂに支持されたドア部３ａ、３ｂは、互いに接近する戸開方向、又は離反する開戸方向に移動する。
【００１７】
ドアレール２は、一対のドア部３ａ、３ｂの開閉方向に沿って延在する部材で構成されており、ポケット部１に固定されている。各ドア部３ａ、３ｂの開閉に伴い、各ドアハンガー４ａ、４ｂに取り付けられた移動ローラ１５がドアレール２上を摺動して移動する。
【００１８】
カバー部５は、ポケット部１内に収容されたドアハンガー４ａ、４ｂ、ドアレール２等の部材を乗りかご側から見えないように設けられる目隠し用の部材であり、ポケット部１の乗りかご側から見える範囲を覆うように設けられている。カバー部５は、ポケット部１に取り付けられているカバー部用ブラケット６にボルト２２によって固定されている。
【００１９】
さらに、ポケット部１内には、電力を必要とする部材が含まれているため、ポケット部１の端部には、配線孔１２が設けられている。この配線孔１２から、種々の配線が引き出されて、外部の電源に接続されている。
【００２０】
このように、一般的に用いられているエレベーター装置のドア部３ａ、３ｂの上端部に設けられるポケット部１には、目隠し用のカバー部５が設けられている。そして、図４及び図５を用いて説明したエレベーター装置には、ドア部３ａ、３ｂに、強制開離構造の戸開閉検知スイッチが取り付けられていない。したがって、このような既設のエレベーター装置においても、ＵＣＭＰの設置の義務化に伴い、強制開離構造の戸開閉検知スイッチを取り付ける必要がある。
【００２１】
次に、本発明の一実施形態（以下、本実施形態）に係るエレベーター装置の一例を、図面を参照しながら説明する。なお、本発明は以下の例に限定されるものではない。各図において、共通の部材には同一の符号を付している。以下、本実施形態においては、強制開離構造の戸開閉検知スイッチが取り付けられていない既設のエレベーター装置に、新たに戸開閉検知スイッチを取り付ける方法について説明する。
【００２２】
図１は、本実施形態のエレベーター装置の閉状態における乗り場側のドア部３ａ、３ｂ及びドアユニット３１の構成図である。また、図２は、本実施形態のエレベーター装置の要部の断面構成図である。また、図３は、本実施形態のエレベーター装置の閉状態における乗り場側のドア部３ａ、３ｂ及びドアユニット３１の構成図である。図１〜図３において、図４及び図５に対応する部分には同一符号を付し、重複説明を省略する。
【００２３】
本実施形態では、図４を用いて説明した強制開離構造の戸開閉検知スイッチが取り付けられていない既設のエレベーター装置に、新たに、強制開離構造の戸開閉検知スイッチ８を取り付ける点に特徴がある。特に、本実施形態では、カバー部用ブラケット６を用いて戸開閉検知スイッチ８を取り付ける。
【００２４】
［ドアユニットの構成］
本実施形態のエレベーター装置におけるドアユニット３１は、上述のドアユニット３０の構成に加えて、追加ブラケット１１と、スイッチ取り付け用バー９と、スイッチ取り付け用ブラケット１４と、戸開閉検知スイッチ８と、カム７と、スイッチ用配線部１０とをさらに有する。
【００２５】
追加ブラケット１１は、カバー部用ブラケット６と同様の形状を有しており、本実施形態ではポケット部１のドア部３ａ、３ｂの開閉方向に沿う一方の端部における上面部１ａに設けられた配線孔１２の近傍に固定されている。追加ブラケット１１は、ポケット部１の上面部１ａにボルト締結、もしくは、レールクリップによって固定されている。また、追加ブラケット１１は、後述するスイッチ取り付け用バー９を固定するために用いられるものであり、スイッチ取り付け用バー９を固定するためのボルト穴を有している。
【００２６】
スイッチ取り付け用バー９は、ドア部３ａ、３ｂの開閉方向に沿う細長い板状部材で構成されている。この板状部材は、例えば、一対のドア部３ａ、３ｂが閉状態において互いに接する位置から、ポケット部１の配線孔１２が設けられている近傍に至るまで、ドア部３ａ、３ｂの開閉方向に沿う一方向に延在する長さに構成されている。スイッチ取り付け用バー９は、予めポケット部１に設置してあった３つのカバー部用ブラケット６のうち、配線孔１２に近い側にある２つのカバー部用ブラケット６にボルト１８で固定されていると共に、新たにポケット部１に固定して設けられた追加ブラケット１１にボルト１９で固定されている。
【００２７】
また、スイッチ取り付け用バー９には、スイッチ取り付け用ブラケット１４がボルト２１によって固定されている。スイッチ取り付け用ブラケット１４は、板状の部材で構成されており、ポケット部１内に戸開閉検知スイッチ８を取り付け可能に配置されている。
【００２８】
さらに、スイッチ取り付け用バー９には、既設のカバー部５を取り付けるためのカバー部用ボルト穴２０が設けられている。本実施形態では、既設のエレベーター装置において、カバー部５の取り付けに用いられていたカバー部用ブラケット６は、スイッチ取り付け用バー９の取り付けに用いられるため、本来、カバー部５の取り付けのために設けられていたカバー部用ブラケット６を、カバー部５の取り付けに用いることができない。そこで、本実施形態では、新たに設けるスイッチ取り付け用バー９として、カバー部用ボルト穴２０が予め設けられた部材を用いる。
【００２９】
戸開閉検知スイッチ８は、ローラ１３を有し、そのローラ１３が上下方向の下側に面するようにスイッチ取り付け用ブラケット１４に固定されている。戸開閉検知スイッチ８は、ローラ１３が後述するカム７に乗り上げることによって、図示しない戸開閉検知スイッチ８内部の可動端子が接点に接触するように構成されている。したがって、戸開閉検知スイッチ８のローラ１３がカム７に乗り上げたときにはオフ状態となり、戸開閉検知スイッチ８とカム７とが離れたときにはオン状態となる。また、戸開閉検知スイッチ８には、スイッチ用配線部１０が接続されている。
【００３０】
スイッチ用配線部１０は、戸開閉検知スイッチ８に接続されており、スイッチ取り付け用ブラケット１４の一面に固定された後、スイッチ取り付け用バー９上に沿ってポケット部１の配線孔１２側の端部に引き出され、配線孔１２からポケット部１外部に引き出される。スイッチ用配線部１０は、スイッチ取り付け用バー９に所定の箇所で例えば固定バンドによって固定されている。
【００３１】
カム７は、所定の凸面を有する部材で構成され、ドア部３ａ、３ｂが閉まっている状態において、その凸面に戸開閉検知スイッチ８のローラ１３が乗り上げる位置にくるように、ドアハンガー４ａ又はドアハンガー４ｂ（図３では、ドアハンガー４ａ）に固定されている。このため、カム７は、ドア部３ａ、３ｂの開閉動作に伴って移動する。そして、ドア部３ａ、３ｂが閉まった状態では、カム７に戸開閉検知スイッチ８のローラ１３が乗り上げた状態となるため、戸開閉検知スイッチ８がオフ状態となる。また、ドア部３ａ、３ｂが開くと、図５に示すように、カム７も移動するため、戸開閉検知スイッチ８のローラ１３からカム７が離れ、戸開閉検知スイッチ８はオン状態となる。
【００３２】
そして、本実施形態では、カバー部５は、スイッチ取り付け用バー９に設けられたカバー部用ボルト穴２０を新たに用い、ポケット部１の所定の領域を覆うようにボルト２２で固定されている。
【００３３】
以上のように、本実施形態では、ドア部３ａ、３ｂの開閉動作によって、ポケット部１の動かないカバー部取り付けブラケット６に、スイッチ取り付けバー９を取り付けることで戸開閉検知スイッチ８と取り付ける。そして、ドア部３ａ、３ｂの開閉動作によって動くドアハンガー４ａにカム７を取り付ける。これにより、ドア部３ａ、３ｂの開閉動作に伴う戸開閉検知スイッチ８のオン、オフがなされる。
【００３４】
次に、本実施形態に係る戸開閉検知スイッチ８の取り付け方法について説明する。まず、既設のエレベーター装置の、乗り場側のドア部３ａ、３ｂの上部に設けられたポケット部１からカバー部５を取り外す。次に、そのカバー部５の取り付けに用いられていたカバー部用ブラケット６に、スイッチ取り付け用バー９を取り付ける。このとき、スイッチ取り付け用バー９は、カバー部用ブラケット６に設けられているボルト穴１７を用いて固定される。そして、既設のカバー部用ブラケット６が足りない場合は、追加ブラケット１１をポケット部１に取り付けて、さらに、その追加ブラケット１１にもスイッチ取り付け用バー９を固定する。
【００３５】
なお、スイッチ取り付け用バー９には、予め、カバー部５の取り付けに用いるためのカバー部用ボルト穴２０を形成しておく。ところで、スイッチ取り付け用バー９にカバー部用ボルト穴２０を用いる場合、そのカバー部用ボルト穴２０と、本来のカバー部用ブラケット６に形成されているボルト穴１７とで位置がずれるため、カバー部５の取り付け位置がずれることになる。したがって、スイッチ取り付け用バー９に形成されるカバー部用ボルト穴２０の形成位置は、カバー部用ブラケット６のボルト穴１７にできるだけ近い位置であることが好ましい。
【００３６】
次に、スイッチ取り付け用バー９に、スイッチ取り付け用ブラケット１４を固定し、その後、スイッチ取り付け用ブラケット１４に戸開閉検知スイッチ８を固定する。なお、スイッチ取り付け用ブラケット１４と戸開閉検知スイッチ８とは、予め固定しておいてもよい。
【００３７】
戸開閉検知スイッチ８を取り付けた後、戸開閉検知スイッチ８に接続されているスイッチ用配線部１０を、スイッチ取り付け用バー９に這わせながら、ポケット部１に元から設けられていた配線孔１２を用いてポケット部１の外部に引き出し、所定の電源に接続する。
【００３８】
一方、カム７は、ドア部３ａ、３ｂが閉まっている状態において、その凸面が戸開閉検知スイッチ８のローラ１３が乗り上げる位置にくるようにドアハンガー４ａ又は４ｂに固定する。このドアハンガー４ａ又は４ｂへのカム７の固定は、ボルト締結によって行われる。なお、カム７の取り付けの際に、カム７を取り付ける側の部材（本実施形態ではドアハンガー４ａ）をカム７取り付け用のボルト穴が空いている部材に交換してもよい。この場合には、現地での穴空け作業を無くすことができる。
【００３９】
そして、戸開閉検知スイッチ８及びカム７の取り付けを行った後、カバー部５を、スイッチ取り付け用バー９に設けられているカバー部用ボルト穴２０を用いてポケット部１に取り付ける。これにより、既存のエレベーター装置への戸開閉検知スイッチ８の取り付けが完了する。
【００４０】
本実施形態では、既存のエレベーター装置に対して、初めから取り付けてあったカバー部用ブラケット６を用いて戸開閉検知スイッチ８を追加で取り付けることができるため、ドアごと取り替えるなどの大がかりな工事が必要ない。これにより、ドアごと取り替えるような大がかりな工事に比較して、大幅なコストの削減や、工期の短縮化が可能になる。
【００４１】
また、本実施形態では、既設のエレベーター装置において初めから設けられている部品を使用するため、現場において穴空け等の加工が必要ない。したがって、建屋環境に依存することなく、強制開離構造の戸開閉検知スイッチ８を簡単に取り付けることができる。
【００４２】
本実施形態では、スイッチ取り付け用バー９を固定するための追加ブラケット１１が、ポケット部１の配線孔１２の近傍に設けられているが、カバー部用ブラケット６のみで十分にスイッチ取り付け用バー９を固定できる場合には、追加ブラケット１１を取り付ける必要はない。
【００４３】
また、本実施形態では、両開きの乗り場ドアに戸開閉検知スイッチを取り付ける例を説明したが、片開きの乗り場ドアに戸開閉検知スイッチを取り付ける場合にも、本発明を適用することができる。さらに、本実施形態では、カバー部５は、スイッチ取り付け用バー９に設けられたカバー部用ボルト穴２０を用いて取り付ける例としたが、スイッチ取り付け用バー９と共に、カバー部取り付けブラケット６のボルト穴に取り付けてもよい。この場合には、例えば、長めのボルトを利用して、スイッチ取り付け用バー９及びカバー部５を、カバー部取り付けブラケット６に固定する。
【００４４】
以上、本発明について、実施形態に基づいて説明したが、本発明は上述の実施形態に記載した構成に限定されるものではなく、その趣旨を逸脱しない範囲において適宜その構成を変更することができるものである。また、上述した実施形態例は、本発明を分かりやすく説明するために詳細に説明したものであり、必ずしも説明した全ての構成を備えるものに限定されない。
【符号の説明】
【００４５】
１…ポケット部、２…ドアレール、３ａ、３ｂ…ドア部、４ａ、４ｂ…ドアハンガー、５…カバー部、６…カバー部用ブラケット、７…カム、８…戸開閉検知スイッチ、９…スイッチ取り付け用バー、１０…スイッチ用配線部、１１…追加ブラケット、１２…配線孔、１３…ローラ、１４…スイッチ取り付け用ブラケット、１５…移動ローラ、１６…ブラケット、２０…カバー部用ボルト穴、３０、３１…ドアユニット
【図１】
2018100153.tif 000003
【図２】
2018100153.tif 000004
【図３】
2018100153.tif 000005
【図４】
2018100153.tif 000006
【図５】
2018100153.tif 000007